(57)【特許請求の範囲】
【請求項１】
電話交換機のクロック分配方式において，
二重化されたディジタルクロック供給装置からそれぞれ対応する一方のクロック信号を受け取る２系統のクロック分配部を備え，
前記各系統の各クロック分配部は，受信したクロック信号から複数の周波数のクロック信号を抽出して，自系と他系の選択部へ供給するクロックインタフェース部と，前記クロックインタフェース部からの２系統のクロック信号から一方を選択する選択部と，選択部から出力されたクロック信号から自系装置に必要なクロックを作成するクロック部と，前記選択部の切替制御を行う制御部とを備え，
前記各系の制御部は，通常状態において選択部に対しそれぞれ自クロック分配部に対応するディジタルクロック供給装置の系のクロック信号を選択し，選択した系のクロック信号に異常が検出されると，他系のクロック信号を選択するよう選択部を制御することを特徴とする電話交換機のクロック分配方式。
【請求項２】
請求項１において，
前記２つの系の各クロック分配部のクロックインタフェース部は入力信号を監視して異常検出の信号を前記制御部へ供給し，
前記各制御部は，前記クロックインタフェース部からの入力異常の検出を受け取ると前記選択部に対し他系のクロックインタフェース部からの信号を選択する制御信号を発生する回路を備えることを特徴とする電話交換機のクロック分配方式。
【請求項３】
請求項１において，
前記各クロックインタフェース部は入・出力信号を監視して異常を検出する手段を備え，
前記各クロック部の出力状態を監視して異常を検出する手段を備え，
前記各制御部は前記自系及び他系のクロックインタフェース部への入力異常，出力異常及びクロック部異常を表す信号を入力して，系の種別，障害位置に対応した障害通知を発生する回路を備え，
前記障害通知を交換機の処理装置へ通知することを特徴とする電話交換機のクロック分配方式。
【請求項４】
請求項３において，
前記各制御部は自系のクロックインタフェース部の入力異常，出力異常及びクロック部異常を表す信号と共に他系の対応する各部からの各異常を表す信号を入力して，前記障害通知を発生する回路により異常通知を発生することを特徴とする電話交換機のクロック分配方式。
【請求項５】
請求項３において，
前記各クロック分配部の各制御部は，初期設定時に選択部に対して自系に対応するディジタルクロック供給装置の系統のクロック信号を選択する両系現用モードで動作するか，片方の同じディジタルクロック供給装置の系統のクロック信号を選択する片系現用モードで動作するかを設定されると，対応する制御信号を発生して選択部を制御し，
前記障害通知を発生する回路は，前記両系現用モード及び片系現用モードの何れにおいても障害種別に応じて同じ内容の障害通知を発生することを特徴とする電話交換機のクロック分配方式。
【発明の詳細な説明】
【０００１】
【発明の属する技術分野】
本発明はクロック分配方式に関する。
電話交換機では，通話路や，回線用のクロック信号としてディジタルクロック供給装置へ基本クロックを供給している。その基本クロックは障害に備えて二重化されており，分配回路において一方の系を選択して配下の各装置へ供給している。その選択した系のクロックに障害が発生すると他方の系に一斉に切替えられるが，切替え時にクロックを受け取るシステムに影響を与えるためその改善が望まれている。
【０００２】
【従来の技術】
図９は従来の電話交換システムの構成例である。
電話交換システムにおいて，二重化された処理装置９０は処理装置インタフェース９１を介して信号が入力されると共に多数の装置を制御する。通話路スイッチ９２は，集線スイッチ９２０と分配スイッチ９２１とで構成され，集線スイッチ９２０で信号装置９３や図示されない多数の加入者線を集線し，分配スイッチ９２１でスイッチングが行われ，ハイウェイインタフェース９４やサービストランク９５等との接続や，加入者線相互の接続が行われる。信号装置９３は加入者線との間で各種の信号の処理を行う。処理装置９０は処理装置インタフェース９１を介して集線スイッチ９２０を制御し，通話路制御装置９６を制御して，通話路制御装置９６により分配スイッチ９２１は制御される。回線インタフェース９８はフレームリレーやパケットの回線と接続され，処理装置とのインタフェースをとる。
【０００３】
ディジタルクロック供給装置（ＤＣＳで表示）９７は，交換システムの通話路（図９の通話路スイッチ９２）や，回線装置（図９には図示省略されている多重回線）の各装置に対しクロック信号として６４ＫＨｚ＋８ＫＨｚ−０，４ＫＨｚのＡＭＩ符号を発生する。その場合，８ＫＨｚや４ＫＨｚの信号は，６４ＫＨｚのＡＭＩ符号のバイオレーションを用いて送信され，受信側でＡＭＩ符号を受信して各信号成分を抽出することができる。
【０００４】
クロック信号は通話路や回線装置等で受信され，クロック分配部において配下の各装置へ基準クロック信号を分配する。交換システムでは信頼性を高く維持するため，ＤＣＳ９７や，基準クロック信号を分配するクロック分配部はそれぞれ二重化されている。
【０００５】
図１０は従来の二重化されたＤＣＳとクロック分配部の説明図である。
ＤＣＳは，Ｎ（Normal) 系のＤＣＳ９７ａとＥ（Emergency)系のＤＣＳ９７ｂの２つが設けられ，各ＤＣＳから発生するクロック信号は，それぞれ通話路または回線制御部に設けられた二重化された０系のクロック分配部１００ａと１系の１００ｂの両方へ出力される。クロック分配部１００ａ，１００ｂのインタフェース部１０１ａ，１０１ｂはそれぞれ受信したＡＭＩ符号の信号を受信して各クロック周波数のクロック信号を抽出して，自系及び他系の選択部１０２ａ，１０２ｂへ出力する。
【０００６】
２つの選択部１０２ａ，１０２ｂは何れも通常はＮ系のＤＣＳ９７ａから送信されたクロック信号を選択し，クロック部１０３ａ，１０３ｂから０系，１系の２つの基準クロックが発生する。０系の基準クロックはそれぞれ二重化された０系の装置（通話路部や制御部）へ供給され，１系の基準クロックも対応する１系の装置へ供給される。
【０００７】
このように，通常は０系，１系のクロック分配部１００ａ，１００ｂから発生する各基準クロックは，何れも同一系（Ｎ系）のＤＣＳ９７ａからのクロックを用いてクロックを発生して分配することを基本とし，Ｎ系に障害が発生した場合，選択部１０２ａ，１０２ｂの制御信号が切替えられ，Ｅ系のＤＣＳ９７ｂのクロックが選択されて，各クロック分配部１００ａ，１００ｂは何れもＥ系のクロックに基づいて動作する。この方式を片系現用方式という。なお，このような切替はＮ系のクロック分配部に電源断が発生した時にも起きる。
【０００８】
【発明が解決しようとする課題】
上記した，従来の方式ではＮ系の障害発生時または電源断実施時に０系及び１系のクロック分配部の双方でＤＣＳの切替えが発生する。この場合，０系，１系のクロック分配部のクロックにより動作する各装置は，何れもそれまでのＮ系のＤＣＳからのクロックから，Ｅ系のＤＣＳからのクロックを受信するように切替えられる。この場合，クロックの切替えによりクロック位相がロックするまでの間，両系が障害検出状態となりシステムの各部がその影響を受けてしまうという問題があった。
【０００９】
上記の問題を軽減する手段として，
▲１▼Ｎ系とＥ系のＤＣＳを，他系を経由せず直接両系に引き込む。
▲２▼クロック分配の機能ブロックが他の機能ブロックと電源を共有している場合，クロック分配として独立した電源を設ける。
等の案が考えられるが，▲１▼の方式では，両系分のＤＣＳ接続ルートを追加し，ＤＣＳからの信号のＡＭＩ符号の受信，クロック抽出回路が必要となり，ハード量の増加を招くという問題がある。また，上記▲２▼の方式では他ブロックの障害等により電源断を実施する場合の影響は受けなくなるが，クロック分配部の電源断により同様に両方の系で切替えが発生し，上記と同様の問題が発生する。
【００１０】
本発明は二重化されたディジタルクロック供給装置（ＤＣＳ）からの出力を選択してクロックを分配する場合に，ディジタルクロック供給装置の障害または電源断によるクロック供給の停止による影響を最小限に抑えることができるクロック分配方式を提供することを目的とする。
【００１１】
【課題を解決するための手段】
図１は本発明の原理構成図である。
図１において，１ａ，１ｂはＮ系及びＥ系のディジタルクロック供給装置（ＤＣＳ），２ａ，２ｂは０系，１系のクロック分配部，３ａ，３ｂはそれぞれ対応するＮ系，Ｅ系のＤＣＳ１ａ，１ｂのクロック信号を受信して各周波数のクロックを抽出して出力すると共に，入力及び出力の信号を監視して入力異常，出力異常を検出するクロックインタフェース部，４ａ，４ｂは選択部，５ａ，５ｂは選択部４ａ，４ｂから入力するクロックから自系装置に必要なクロックを作成して対応する系の各装置へ出力すると共に出力を監視して異常を検出するクロック部，６ａ，６ｂは自系及び他系のクロックインタフェース部３ａ，３ｂ及びクロック部５ａ，５ｂの監視結果を受け取って自系の選択部４ａ，４ｂの制御を行うと共に上位装置からの指令により選択部４ａ，４ｂの制御を行うクロック制御部である。
【００１２】
本発明はディジタルクロック供給装置（ＤＣＳ）の選択論理を基本的に同系選択（Ｎ系は０系，Ｅ系を１系）とし，ディジタルクロック供給装置からのクロック供給ルートを分散化し，問題発生時の影響を少なくするものである。また，ディジタルクロック供給装置（ＤＣＳ）の系選択論理の切替えを可能とし，障害発生時の各系の障害情報を系選択論理に関係なく同じフォーマットで読み取れるようにするものである。
【００１３】
【作用】
図１において，０系と１系のクロック分配部２ａ，２ｂのクロックインタフェース部３ａ，３ｂはそれぞれ対応するＮ系のＤＣＳ１ａ，Ｅ系のＤＣＳ１ｂからのＡＭＩ符号化されたクロック信号を受信すると，それぞれクロック信号を抽出し，それぞれ自系（実線で示す）と他系（点線で示す）の選択部４ａ，４ｂへ出力する。制御部６ａ，６ｂは初期状態で選択部４ａ，４ｂに対し，それぞれ自系のクロックインタフェース部３ａ，３ｂの出力を選択するよう設定され，選択部４ａはＮ系のクロック信号を選択し，選択部４ｂはＥ系のクロック信号を選択し，両系現用方式の状態となる。この結果，実線で示すようにそれぞれ自系のクロック信号がクロック部５ａ，５ｂへ入力してそれぞれ自系の装置が必要とするクロック信号が発生する。
【００１４】
０系と１系の各制御部６ａ，６ｂは，それぞれ自系及び他系のクロックインタフェース部３ａ，３ｂ及びクロック部５ａ，５ｂにおける入力と出力の監視結果を受け取り，障害を判別して障害を検出すると，クロックルートを変更する選択信号を発生する。また，各制御部６ａ，６ｂは選択状態を上位装置へ通知すると共に上位装置からの指示により選択部４ａ，４ｂの制御を行う。
【００１５】
制御部６ａまたは６ｂの一方が，監視結果により障害発生を検出して自系の選択部４ａまたは４ｂを制御して，正常なＤＣＳのクロック信号を選択するよう切替えられると，切替えによりクロック信号が変化するのは，０系と１系のクロック分配部２ａ，２ｂの一方であり，その切替えによる影響を受けるのは一方の系の装置だけであり，従来のように両系の装置に影響を与えることがない。
【００１６】
【発明の実施の形態】
図２は本発明が実施されるシステムの構成例である。
図２において，２０は処理装置を表し，０系（＃０）と１系（＃１）に対応して設けられ，各処理装置２０内には中央処理装置２１，メモリ２２，０系と１系のメモリ２２を他系のメモリ２２と交差接続する制御を行うメモリ交差制御部２３が接続されている。各中央処理装置２１は，バスを介してバス競合回路／バス交差制御部２４，コンソール制御／緊急制御部２５，ディスク制御部２６，回線制御部２７，モジュール間インタフェース制御部２８，プロセッサインタフェース２９と接続される。
【００１７】
またプロセッサインタフェース２９に本発明によるクロック分配部３０が接続される。なお，クロック分配部は電話交換システム（図９参照）の各装置に設けられ，システムに共通のディジタルクロック供給装置（ＤＣＳ）からそれぞれクロック信号を受信して内部の基本クロックを発生している。
【００１８】
また，０系の処理装置２０の場合にはプロセッサインタフェース２９に保守用コンソール（ＷＳ）と接続し，遠隔監視制御及び情報転送を行う保守インタフェース３１が接続されている。
【００１９】
なお，回線制御部２７は共通線信号装置（ＣＳ），フレームリレー装置により，他システムとの通信を行う回線の制御部である。
図３は二重化されたＤＣＳとクロック分配部の構成図である。
【００２０】
図３において，１０ａ，１０ｂ・・・１４ａ，１４ｂは上記図１の１ａ，１ｂ・・・５ａ，５ｂに対応し，１０ａ，１０ｂはそれぞれＮ系，Ｅ系のディジタルクロック供給装置（ＤＣＳ），１１ａ，１１ｂはそれぞれ０系と１系のクロック分配部であり，上記図２のクロック分配部３０に対応する。１２ａ，１２ｂは上記図１のクロックインタフェース部３ａ，３ｂに対応し，それぞれ０系と１系の対応するＮ系，Ｅ系のＤＣＳからのＡＭＩ符号化されたクロック信号を受信して，各周波数のクロック信号を抽出すると共に入力信号と出力信号を監視して異常を検出するＤＣＳインタフェース部（ＤＣＳＩＦ），１３ａ，１３ｂはそれぞれ０系と１系のセレクタ（ＳＥＬ），１４ａ，１４ｂはセレクタから出力されたクロック信号に基づいてそれぞれ０系，１系の装置で必要な８ＫＨｚ，６４ＫＨｚ，１．５ＭＨｚ，３２ＭＨｚ等のクロック信号を発生すると共に入力信号と出力信号を監視して異常を検出するクロック部である。
【００２１】
また，１５ａ，１５ｂはそれぞれ対応するＤＣＳインタフェース１２ａ，１２ｂ及びクロック部１４ａ，１４ｂのそれぞれの入・出力の監視結果が入力され，セレクタ１３ａ，１３ｂの制御信号を発生するクロック制御部，１６ａ，１６ｂは上位のプロセッサから発生したオーダ（指令）を判定してクロック制御部１５ａ，１５ｂに出力すると共に，クロック制御部１５ａ，１５ｂから発生する監視結果をプロセッサ側へ中継するオーダ判定部，１７ａ，１７ｂはプロセッサからのオーダを受信すると共にプロセッサへクロック制御部からの監視結果を中継するオーダ受信部である。
【００２２】
クロック制御部１５ａ，１５ｂは上記図１について説明した原理により，初期状態では，それぞれ自系のＤＣＳ１０ａ，１０ｂからのクロック信号に基づくＤＣＳＩＦ１２ａ，１２ｂの出力を選択するようＳＥＬ１３ａ，１３ｂを制御し，両系現用方式で動作を行う。クロック制御部１５ａ，１５ｂは，それぞれ自系及び他系のＤＣＳＩＦ１２ａ，１２ｂの入・出力信号の監視結果，及びクロック部１４ａ，１４ｂの入・出力信号の監視結果をクロス接続により相手側に通知し，，自系と他系の各監視結果（異常検出信号）の内容に基づいて障害の状態を判別し，障害を検出すると，異常を発生したＤＣＳの系統のクロック信号を排除し，正常な系を選択する選択信号を発生し，ＳＥＬ１３ａまたは１３ｂの一方を切替える。これにより，正常な一方の系のＤＣＳ１０ａまたは１０ｂの信号を両系で選択する。この切替え後の状態は片系現用方式となる。
【００２３】
図４は，上記図３のクロック分配部の中のクロック供給ルート（ＤＣＳＩＦ１２ａ，１２ｂ，ＳＥＬ１３ａ，１３ｂ及びクロック部１４ａ，１４ｂ）の構成を示す。図４において，各符号１２〜１４は上記図３の中の１２ａ〜１４ｂの同じ数字で表した各部を表す。
【００２４】
図４において，ＤＣＳインタフェース部（ＤＣＳＩＦ）１２は，対応する系のＤＣＳ１０からのＡＭＩ符号化されたクロック信号がＡＭＩ受信部１２０で受信されると，クロック抽出／障害監視部１２１においてＡＭＩ符号を解読して各周波数成分のクロックを抽出すると共に入力信号及び出力信号に異常があるかを監視する。抽出されたクロック信号は一方で他系のクロック分配部へ出力され，他方は自系のセレクタ（ＳＥＬ）１３へ入力する。セレクタ１３は自系のクロック信号と共に他系のクロック分配部で抽出されたクロック信号が入力され，クロック選択信号により選択制御される。選択されたクロック信号は自系の各装置（自系の回線制御部等の内部の各装置）で必要とする各周波数のクロックを分周，逓倍により作成して，それらの装置へ出力する。
【００２５】
図５はクロック制御部における障害情報表示の回路である。この回路は上記図３の各クロック分配部１１ａ，１１ｂのクロック制御部１５ａ，１５ｂに設けられている。
【００２６】
図５の１５０〜１５５は２入力１出力のセレクタであり，セレクタ１５０，１５１にはセルフ系（自系）ＤＣＳＩＦの入力異常とメート系ＤＣＳＩＦ入力異常を表す各信号が上記図３のＤＣＳＩＦ１２ａ，１２ｂにおける監視結果として入力され，セレクタ１５２，１５３にはセルフ系ＤＣＳＩＦの出力異常とメート系ＤＣＳＩＦ出力異常の各信号が上記図３のＤＣＳＩＦ１２ａ，１２ｂから入力される。セレクタ１５４，１５５にはセルフ系クロック部異常（クロックを作成するフエーズロックループ回路（ＰＬＯ）の異常）とメイト系クロック部異常（同じくＰＬＯの異常）が図３のクロック部１４ａ，１４ｂにおける監視結果として入力される。
【００２７】
１５６は排他的オア（ＥＯＲ）であり，各セレクタ１５０〜１５５はＥＯＲ１５６の出力により制御され，ＥＯＲ１５６の出力の“０”，“１”に応じて各セレクタ１５０〜１５５は０側の入力または１側の入力を選択して，それぞれ障害通知０〜障害通知５を発生する。
【００２８】
この図５の回路は，クロック分配部が両方のＤＣＳを現用（両系現用）とする場合と，片系のＤＣＳを予備（片系予備と同じ）とする場合の両方に使用することができ，各場合における障害情報選択条件及び通知内容を図６及び図７に示す。
【００２９】
図６は両系現用の場合の障害情報選択条件及び通知内容の説明図であり，図７は片系現用の場合の障害情報選択条件及び通知内容の説明図である。
図６，図７のクロック選択信号は，図５のＥＯＲ１５６の一方の入力信号であり，両系現用の場合は，図６に示すようにそのクロック制御部が設けられたクロック分配部が０系，１系の何れの場合にも“０”に設定され，片系現用の場合はクロック分配部の系に応じて“０”または“１”が設定される。次の系番号は，両系現用と片系現用の何れの場合にもクロック分配部の系に応じて“０”または“１”が設定される。
【００３０】
このように設定されると両系現用の場合は，図６に示すようにＥＯＲ１５６の出力が，０系の場合は“０”，１系の場合は“１”となる。この結果，図５に示すセルフ系（自系）ＤＣＳＩＦ入力異常とメート系（他系）ＤＣＳＩＦ入力異常の入力に対して，自系が０系である場合は図５のセレクタ１５０〜１５５は入力０側の障害情報が選択され，図６に示す障害内容が出力される。自系が１系である場合は図５のセレクタ１５１〜１５５は入力１側の障害情報が選択され，図６に示す障害内容が出力される（０系，１系共に同一ビット位置に同一内容が表示される）。
【００３１】
片系現用の場合は図７に示され，ＥＯＲ１５６の２つの入力は，０系の場合両方とも“０”，１系の場合両方とも“１”であるため，ＥＯＲ１５６の出力が，０系，１系の何れの場合にも“０”となる。この結果，自系が０系，１系に関係なく，図５の各セレクタ１５０〜１５５は入力０を選択し，図７の障害内容として示す障害通知０〜５が発生する。なお，図７の障害情報の欄の表示は，例えば，「ＤＣＳＩＦ０入力異常」は０系ＤＣＳＩＦの入力異常，「ＤＣＳＩＦ１出力異常」は１系ＤＣＳＩＦの出力異常をそれぞれ意味する。
【００３２】
図５の回路により発生する各障害通知は，図３のそれぞれ自系の選択部１３ａまたは１３ｂにおけるクロックルート選択信号を発生する回路（後述する図８に示す）に供給されると共に，図３に示すオーダ判定部１６ａ，１６ｂ及びオーダ受信部１７ａ，１７ｂを介してプロセッサインタフェースへ送られ，そこからプロセッサ（図２の中央処理装置）へ通知される。
【００３３】
アクト系のプロセッサは，対応する一方の系のクロック分配部からの障害通知０〜５を受け取ることにより，クロック分配部へのＤＣＳの入力異常，ＤＣＳＩＦの出力異常，及びクロック部の出力異常について，自系だけでなく他系についても障害情報を得ることができる。プロセッサ（中央処理装置）は，この通知を受けることにより障害検出及び障害解析等の処理を速やかに実施できる。
【００３４】
なお，従来は回線制御部への供給クロックが正常であるかどうかの監視をアクト系（現用系）だけしか行ってないため，他系（メイト系）のクロック部から同系の回線制御部へのクロック供給が異常となった場合，クロック部の障害検出としては通知されず，後で回線制御部から回線障害としてアクト系プロセッサに通知される。
【００３５】
上記図５に示す障害表示の回路により，上記図６，図７に示すように両系現用または片系現用（従来の方式）の何れの場合にも，適切に対応する障害表示を行うことができる。すなわち，どちらのモード及びどちらの系（０系／１系）でも，障害内容及び表示ビットの位置を同一とする，同じフォーマットで上位のプロセッサへ障害表示を通知することができる。従って，この図５に示す回路は，システムが両系現用または片系現用の何れを採用するかに応じて柔軟にクロックの供給ルートを変更可能となる。
【００３６】
図８はルート選択信号の発生回路を示し，上記図３の各クロック分配部のクロック制御部１５ａ，１５ｂに設けられ，初期設定状態において両系現用の状態または片系現用の状態に対応した選択信号を発生し，ＤＣＳＩＦからの入力異常の検出信号により選択信号が切替えられる。
【００３７】
８０は上位装置からの電源オン時に発生するパワーオン（ＰＯＮで表示）リセット信号とルート設定の指令を表すルートセットオーダ信号が入力するオア回路，８１は現用系（ＡＣＴ系）またはセルフ系の入力異常の検出信号と切替え禁止フリップフロップ（ＩＮＨ−ＦＦで表示）８２の反転出力（ＱＮで表示）とのアンド回路，８２はクロックの切替えを１回に抑止するための切替禁止フリップフロップ（ＩＮＦ−ＦＦ）であり，既に自系または他系で障害が発生している場合，アクト系（またはセルフ系）が障害になっても切替わらないようにする機能を持つ。８３は上位装置から選択ルートをリセット（初期状態）にする指令を表すルートリセットオーダ，８４はクロック（ＣＬＫ）選択信号であり，両系現用モードの場合はクロック制御部が０系，１系の何れの場合にも“０”を設定し，片系現用モードの場合はクロック制御部の０系，１系に対応して“０”，“１”が設定される。
【００３８】
８５はルート選択フリップフロップ（ＲＯＴ−ＦＦで表示）で，クロック端子（ＣＰ），セット端子（Ｓ），Ｊ，Ｋ端子及びリセット端子（Ｒ）の各入力端子と反転出力端子（ＱＮ）を備え，Ｊ，Ｋ端子に“１”が設定されているため，セット端子（Ｓ）への“１”入力でセットされ，リセット端子（Ｒ）への“１”入力でリセットされ，更にＣＰ端子への“１”入力で反転する。８６は排他的オア回路（ＥＯＲで表示）である。
【００３９】
図８の回路の動作を説明すると，電源投入時には，ＰＯＮリセット信号の“１”の発生によりオア回路８０を介してＲＯＴ−ＦＦ８５がセットされ，否定出力端子ＱＮが“０”となる。この時，ＥＯＲの他の入力であるＣＬＫ選択信号８４は，両系現用の場合は“０”であるから，ＥＯＲ８６の出力として“０”が発生する。この出力はクロックルート選択信号であり，“０”の場合は自系選択を指示する。
【００４０】
両系現用の場合，各系のクロック制御部で，自系選択を行っている状態で，現用（アクト系またはセルフ系）の入力異常を検出する信号が“１”になると，その時はＩＮＨ−ＦＦ８２はリセットしているためその否定出力ＱＮは“１”であるため，アンド回路８１を介して信号“１”がＲＯＴ−ＦＦ８５のクロック端子ＣＰへ入力する。この入力でＲＯＴ−ＦＦ８５は状態を反転する。両系現用の場合，それまで否定出力ＱＮは“０”であったのが“１”となり，クロックルート選択信号は他系を選択する指示を表す。なお，このアクト系（セルフ系）入力異常の検出信号は，ＩＮＨ−ＦＦ８２のセット端子にも供給されてセット状態にし，その否定出力ＱＮを“０”にする。これにより次のアクト（セルフ）系の入力異常の発生時には，アンド回路８１により選択信号の切替を禁止する。これは，２回の切替えにより元の異常を発生したＤＣＳに切替えられるのを防ぐためである。
【００４１】
片系現用のモードの場合は，パワーオンリセット時にＲＯＴ−ＦＦ８５の否定出力ＱＮが“０”で，ＣＬＫ選択信号８４には系番号に対応して“０”または“１”が設定されると，ＥＯＲ８６の出力は，それに対応して“０”または“１”が出力され，“０”の場合は自系を，“１”の場合は他系を選択する信号となる。この後，現用（アクト）系の入力異常の検出信号が発生すると，上記の両系現用の場合と同様にＲＯＴ−ＦＦ８５は状態を反転し，否定出力が“１”となり，ＥＯＲ８６の出力をそれまでと反対の状態にする。すなわち，０系の場合は，“０”から“１”となって，クロックルートとして他系を選択する指示を発生し，１系の場合は，“１”から“０”となってクロックルートとして他系から自系を選択する指示が発生する。
【００４２】
【発明の効果】
本発明によれば二重化されたディジタルクロック供給装置（ＤＣＳ）からクロックを受信し，通話路装置や回線制御部へ基本クロックを分配する場合に，両系のディジタルクロック供給装置を現用とすることで，ディジタルクロック供給装置の障害及びクロック分配部の電源断等によるシステムへの影響を軽減することができる。
【００４３】
また，ディジタルクロック供給装置の選択モードを容易に変更可能とし，システムの方式変更や他のシステムへの適用等によるソフト側への影響を及ぼさないシステムを提供することができる。
また，一方の系のクロック分配部から他系のクロック部の障害情報を引き込むことができるため，クロック分配部から出力されるクロックにより動作する装置側での障害を事前にアクト系の処理装置で監視することが可能となる。
【図面の簡単な説明】
【図１】本発明の原理構成図である。
【図２】本発明が実施されるシステムの構成例を示す図である。
【図３】二重化されたＤＣＳとクロック分配部の構成図である。
【図４】クロック分配部の中のクロック供給ルートの構成図である。
【図５】クロック制御部における障害情報表示の回路構成を示す図である。
【図６】両系現用の場合の障害情報選択条件及び通知内容の説明図である。
【図７】片系現用の場合の障害情報選択条件及び通知内容の説明図である。
【図８】ルート選択信号の発生回路を示す図である。
【図９】従来の電話交換システムの構成例を示す図である。
【図１０】従来の二重化されたＤＣＳとクロック分配部の説明図である。
【符号の説明】
１ａ      Ｎ系のディジタルクロック供給装置（ＤＣＳ）
１ｂ      Ｅ系のディジタルクロック供給装置（ＤＣＳ）
２ａ      ０系のクロック分配部
２ｂ      １系のクロック分配部
３ａ      ０系のクロックインタフェース部
３ｂ      １系のクロックインタフェース部
４ａ      ０系の選択部
４ｂ      １系の選択部
５ａ      ０系のクロック部
５ｂ      １系のクロック部
６ａ      ０系のクロック制御部
６ｂ      １系のクロック制御部
【図１】
0003681807.tif 000002
【図２】
0003681807.tif 000003
【図３】
0003681807.tif 000004
【図４】
0003681807.tif 000005
【図５】
0003681807.tif 000006
【図６】
0003681807.tif 000007
【図７】
0003681807.tif 000008
【図８】
0003681807.tif 000009
【図９】
0003681807.tif 000010
【図１０】
0003681807.tif 000011